(57)【要約】【課題】杖・ポール・柄等を手放しても倒れない様にし、未使用時そのスタンド（脚体４及び、脚ロッド）の極小サイズへの折畳（収納）化と安価製法。【解決手段】使用例で歩行補助杖等に外付固着し開脚すると立体トラス体６を形成し且つ、脚体４付根部を変形四辺式リンク機構としピン方式等でも構わないが、その屈折ジョイント部をスナップヒンジ（三点式リターンばね性）式兼ねる薄膜形状化などの加工・成形品で解決した、自立器具で有る脚開閉式ポールスタンド。【選択図】  図２
2007151722.tif 000002
【特許請求の範囲】
【請求項１】
杖ポール類等の先端上部に装着し開脚した際トラス体を形成、その付根部は四屈折支点の変形四辺式リンク機構で内角約60°斜下状に脚体二脚備え、何れかの部に開閉双方の保持力得るバネ体と開限度ストッパー有す若しくは、同機構機能を一体的に凝縮した開閉式ポールスタンド。
【発明の詳細な説明】
【技術分野】
【０００１】
歩行補助杖やモップ柄その他等の自立スタンド器具に関する。
【背景技術】
【０００２】
一般的に使用される補助杖(ステッキ)や手道具類等のポール・柄等を手放した際、倒れ拾い上げる動作等に苦労し危険でも有った、完全独立に立たせられる簡易且つ、安価簡便な折畳（収納）式ポールスタンドは皆無であった。
【発明の開示】
【発明が解決しようとする課題】
【０００３】
本発明の課題は、杖やポール類手道具の柄等を手放しても倒れない様にし、そのスタンド（脚）の開閉を半自動的任意動作とし且つ、閉収納時の極小化又、低価格化図る加工成形法である。
【課題を解決するための手段】
【０００４】
使用時に違和感無く杖・柄機能を損なわずその目的果たす為、取付本体１に変形四辺式リンク機構を組入れたトラス体型で脚開閉と脚長補正（伸長）・バネ保持力を基本とし、その全機能を一体成型等で解決図る。
【発明の効果】
【０００５】
必要時、杖やポール・柄の自立化図れ、常に立って居るのでしゃがみ込んで拾う事も無く安心・楽で手動法でも良いが用途に応じ例えば杖の場合、杖先を後斜め下方で地面に叩くと開脚又、前方より手前に引くと閉脚収納し又、安価に製造できる。
【発明を実施するための最良の形態】
【０００６】
本発明を歩行補助杖５に装着した場合を想定し且つ、構成の原形図（図１）で説明する、杖５の接地先端上部の位置（図２参照：バランスの取れた常識的な位置=杖５の長さ自重での安定したトラス体６=各頂点a・b・c・ｄ の位置関係）に外付け、斜下方に適宜長の脚体４（脚ロッド）が八字状に突出、その脚体４の開閉と脚長補正（伸長）化を同時解決するに変形四辺式（不等辺四角形）のリンク機構を取付本体１に内角約60°もって二脚配し、開閉双方の保持をバネ力としたもの。
【０００７】
そのリンク機構部を説明する。
取付本体１（屈折支点e・ｈ 間をリンクの一つに考える）・上リンク２・下リンク３・脚体４（f・ｇ 間これもリンクと見る）=脚ロッドと四つの屈折支点e・f・g・h から成り、図例比率程の長さ位置関係（脚ロッドの長さ取付角・リターンばね７力などで変わる）で連結したリンク機構体、特に閉脚時屈折支点ｇ は、e・f の合点とｈ 点の対角線を超越した内側に配し（リターンばね７配置等でも変わる）且つ、クリック固定の為f・h 間はe・h 間より若干の縮小寸法化したもの依って、閉脚収納時（想像線図：作図片側のみ）から開脚するに一体連動、脚体４・上リンク２・下リンク３は回変動し特に、上リンク２（屈折支点f ）の回動距離分脚体４は斜め下方に伸長され且つ、下リンク３（屈折支点g・h 間）も連動し扇状に脚体４は開脚されるもので有る、当然各リンク部は図例以上開度しないストッパー兼ねた形状体で内角約60°に対（二脚）配し杖５に外付固着、立体トラス体６を形成自立が図れる又、上リング２を取入れた伸長性の脚体にしないと閉脚時杖５の先端より脚体（脚ロッド）先端がオーバーする不具合生じ逆に言い換えればオーバーしない位置にセットし開脚すると長尺高重心の為、傾斜角大にてアンバランス化保持するに取付本体１自体を下動させるなど別機能が必要、その一気解決法で安定した自立と脚体のスムーズな開閉性を同時に得る基本的考え方。
【０００８】
次に、開閉双方の保持力得るリターンばね７について説明する。
脚体４の開閉保持力部品で屈折支点e・ｆ の合点とg に於ける対角線関係の保持線でバネ支点ｉ （脚体４上部、屈折支点ｆ・ｇ 間の約中間）・ｊ （図例位置：取付本体１の下方にある）間をリターンばね７で張力連結その機能を受持たせる、その保持線通過の可否を得リンク体変動内側は閉脚保持、外側が開脚化又、その適宜な保持力もって必要任意にて脚体４の開閉行なうが発明源である。
【０００９】
その機構（変形四辺式リンク）と他機能（組立性省く支点ピンレス・バネレス化・開限度ストッパー）を凝縮し一体成形品で完成させたのが図２、四箇所（対で八箇所）の各屈折支点ｅ・ｆ・ｇ・ｈ （ジョイント）を薄膜化且つ、その部をスナップヒンジ（三点式リターンばね性）式形状体とし樹脂（ＰＰ：ポリプロピレン・ＰＥ：ポリエチレン等）特性を利用。
【００１０】
その一例として図３の形状体にて一体成型（展開内部応力にて各ジョイント部は、捩れ形状で設計成型）、二分割された取付本体１は屈折支点ｆ で矢印方向に反転（捩れ状の各ジョイント部は実用形状に自然補正される）させ双方の凸凹連結部13で勘合差し込むとロック14固定され完成（図２）、杖５に外付固着される尚、分割箇所は他部分でも良く又、他ジョイント・ヒンジ材の同時加工（インサート成型など）や脚ロッドの取付（本例はロッドセット部16への差込式）は他法でも良い又、その脚ロッドは、必要適宜な脚長で軽量化の為カーボン・ファイバーグラスロッド・パイプ材等でも良い。
【００１１】
又、挟みリブ12は脚体４の脚ロッドを挟み込む完全ロック用のもの。
【００１２】
尚、図１にある開脚レバー８は、図例形状のバネ材製でその両端部をレバーピン穴10に差込セットしレバー押操作にて下リンク３を持上げ瞬時開脚も行なえ又、爪付締めバンド９は完全固着用それを通す貫通部がバンド穴15である又、図２取付本体１のスリット11は必要最小径で成形し様々な太さに対応密着させる可歪形状得る一例である。
【００１３】
使用操作法は、手動で行なっても良いが杖５先を後方斜めより地面に向け叩くと脚体４（脚ロッド）先端荷重の反動にて開脚し又、杖５（脚ロッド先端が下面に接す状態）を前方より手前引きすると閉脚する又、もし開脚のまま使用した場合でも接地時（脚ロッド先端）は、必要外の力やショックを屈折吸収何ら差支え無く若干の傾斜面にも対応できる。
【００１４】
本案は、屈折支点（ジョイント）部の加工製法及び、部材の形状素材・リターンばねの位置や数（併用含む）種類・取付本体１の外付固着法（本体ポール内への内臓化含め）・他部分での分離成形や他の工夫案（ワイヤー等で導く手元操作化）など一切拘るものでは無く又、他用途例えば、掃除用具の箒・モップの柄・のぼり旗ポール・その他立位体を必要とする全てに取付可で使用目的にて安全の為、夜光・蓄光性の着色剤入や安定化に高ばね力含め逆重量素材としても良く、ポールを垂直等に立てる際脚長の違う二器の抱合せた使用法又は、対とした四脚方式(但し、脚取付角90°)も考えられる。
【産業上の利用可能性】
【００１５】
歩行補助杖の安全・簡易利便性・製品コスト性かんがみ現使用者数含め需要は大きく又、掃除用モップ柄や立位体を必要とする手道具類の柄・ポール・バー等にて応用使用され便利になる。
【図面の簡単な説明】
【００１６】
【図１】は、本発明である原形見取図（ピン式）でリンク機構部と閉脚収納（想像線）現した拡大図
【図２】はスナップヒンジ式の見取図
【図３】は一体成型時の展開見取図（想像線は脚ロッド）である。
【符号の説明】
【００１７】
1      取付本体
2      上リンク
3      下リンク
4      脚体（脚ロッド）
5      杖（柄・ポール）
6      トラス体
7      リターンばね
8      開脚レバー
9      爪付締めバンド
10     レバーピン穴
11     スリット
12     挟みリブ
13     連結部
14     ロック
15     バンド穴
16     ロッドセット部
a・b・c・d    頂点
e・ｆ・g・h   屈折支点（ジョイント＝スナップヒンジ）
ｉ・j         バネ支点
【図１】
2007151722.tif 000003
【図２】
2007151722.tif 000004
【図３】
2007151722.tif 000005